(57)【要約】      （修正有）【課題】簡単に球体を携行することができ、非常に使い易い球体携行装置を提供する。【解決手段】球体を収納するためのスペースと、枢着部を備え、底部に配置される底板１０と、ロック部材を備え、前記底板に対応するように上部に配置される天板２０と、前記底板と天板との間に位置し、該底板と天板とを連結する側板とを含むケースと、両端が前記ケースに連結されるベルト部材が設けられている肩掛けベルト４０とを有し、前記側板は、その両端が夫々底板と天板とに連結され、前記スペースを定めるための２つの包囲ボード３１と、一端が底板の枢着部に枢着され、他端が天板のロック部材に分離可能にロックされ、前記スペースを定める開閉ボード３３とを備えていることを特徴とする。【選択図】図１
0003155209.tif 000002
【実用新案登録請求の範囲】
【請求項１】
球体を収納するためのスペースと、枢着部を備え、底部に配置される底板と、ロック部材を備え、前記底板に対応するように上部に配置される天板と、前記底板と天板との間に位置し、該底板と天板とを連結する側板とを含むケースと、
両端が前記ケースに連結されるベルト部材が設けられている肩掛けベルトとを有し、
前記側板は、その両端が夫々底板と天板とに連結され、前記スペースを定めるための２つの包囲ボードと、一端が底板の枢着部に枢着され、他端が天板のロック部材に分離可能にロックされ、前記スペースを定める開閉ボードとを備えていることを特徴とする球体携行装置。
【請求項２】
前記底板の上面縁部に第一連結凹部が形成され、
前記包囲ボードの下端に前記第一連結凹部と連結する第一連結片が形成されていることを特徴とする請求項１に記載の球体携行装置。
【請求項３】
前記天板の下面縁部に第二連結凹部が形成され、
前記包囲ボードの上端に前記第二連結凹部と連結する第二連結片が形成されていることを特徴とする請求項１又は２に記載の球体携行装置。
【請求項４】
前記ロック部材は、
前記底板の枢着部と対応する箇所に位置しており、前記天板の周縁に凹設され、前記ロック凹部の縁部と平行に形成され、夫々内側端と外側端とを備える２つの径方向側壁と、前記径方向側壁の内側端近傍に夫々凸設される２つの凸部と、互いに突出するように、２つの径方向側壁の外側端近傍に夫々設けられる２つの凸片と、夫々前記凸部と凸片との間に凹設される２つの軸穴とを有するロック凹部と、
前記軸穴に挿入される枢転軸を有し、前記ロック凹部に枢着される枢着片と、
両側が平行となるように形成されており、一端が前記枢着片に枢設される２つのフランジと、夫々がロック凹部の凸部に対応するように、前記フランジに凹設される嵌合穴と、内面に形成されるフック部材とを有する蓋部とを備え、
さらに、前記開閉ボードは、ロック端と、前記ロック端から延出され、分離可能に凸片に当接されるロック片と、フック部材に係合するように、ロック片に穿設されるフック穴とを備えていることを特徴とする請求項１乃至３の何れか１項に記載の球体携行装置。
【請求項５】
前記底板は、枢着部の両側に平行に凸設される２つのフランジと、前記２つのフランジに互いに対応するように凹設される枢転溝とを備え、
前記開閉ボードは、枢設端と、前記枢設端の両側に凸設されると共に、底板の枢転溝に対して回転可能な枢転ロッドと、を備え、交換可能に底板の枢着部に枢着されていることを特徴とする請求項１乃至４の何れか１項に記載の球体携行装置。
【請求項６】
前記側板には、２つの包囲ボードを連結するために横方向に設置されている弧状ボードを有していることを特徴とする請求項１又は２に記載の球体携行装置。
【請求項７】
前記弧状ボードは、伸縮自在の織物からなることを特徴とする請求項８項に記載の球体携行装置。
【請求項８】
前記肩掛けベルトには、両端が前記ケースに連結される２つのベルトを有していることを特徴とする請求項１又は２に記載の球体携行装置。
【考案の詳細な説明】
【技術分野】
【０００１】
本考案は、表面にパターンが形成され、球体を収納するための硬質のケースと、前記ケースに連結される肩掛けベルトとを有し、前記肩掛けベルトを背負ったり、肩に掛けたりすることにより、球体を容易に携行できるようにする球体携行装置に関する。
【背景技術】
【０００２】
図８に示すように、従来の球体バッグ（７０）は、袋（７１）と、ひも（７２）と、紐ホルダー（７３）とを有し、前記袋（７１）は、網状の本体と、前記網状の本体の内部に形成され、例えばバスケットボール、サッカーボール、バレーボールなどを収納するためのスペースと、球体を前記スペースに入れるための開口とを備え、前記ひも（７２）は、非常に細く、前記袋（７１）の近傍に設けられ、その開口を締めて塞いでおり、前記紐ホルダー（７３）は、前記ひも（７２）に摺動可能に設けられ、該ひも（７２）を締め付けて固定している。
【考案の概要】
【考案が解決しようとする課題】
【０００３】
しかしながら、従来の球体バッグ（７０）は、前記網状の袋（７１）が破れ易いと共に、表面が汚れやすく、前記ひも（７２）が細すぎて肩に掛け難いので、使用上非常に不便であった。
【０００４】
そこで、案出されたのが本考案であって、表面にパターンが形成される硬質のケースと、前記ケースに連結され、肩に掛け易いベルトとを備え、簡単に球体を携行することができ、非常に使い易い球体携行装置を提供することを目的としている。
【課題を解決するための手段】
【０００５】
本願の請求項１の考案は、球体を収納するためのスペースと、枢着部を備え、底部に配置される底板と、ロック部材を備、前記底板に対応するように上部に配置される天板と、前記底板と天板との間に位置し、該底板と天板とを連結する側板とを含むケースと、両端が前記ケースに連結されるベルト部材が設けられている肩掛けベルトとを有し、前記側板は、その両端が夫々底板と天板とに連結され、前記スペースを定めるための２つの包囲ボードと、一端が底板の枢着部に枢着され、他端が天板のロック部材に分離可能にロックされ、前記スペースを定める開閉ボードとを備えていることを特徴とする球体携行装置、を提供する。
【０００６】
本願の請求項２の考案は、前記底板の上面縁部に第一連結凹部が形成され、前記包囲ボードの下端に前記第一連結凹部と連結する第一連結片が形成されていることを特徴とする請求項１に記載の球体携行装置、を提供する。
【０００７】
本願の請求項３の考案は、前記天板の下面縁部に第二連結凹部が形成され、前記包囲ボードの上端に前記第二連結凹部と連結する第二連結片が形成されていることを特徴とする請求項１又は２に記載の球体携行装置、を提供する。
【０００８】
本願の請求項４の考案は、前記ロック部材は、前記底板の枢着部と対応する箇所に位置しており、前記天板の周縁に凹設され、前記ロック凹部の縁部と平行に形成され、夫々内側端と外側端とを備える２つの径方向側壁と、前記径方向側壁の内側端近傍に夫々凸設される２つの凸部と、互いに突出するように、２つの径方向側壁の外側端近傍に夫々設けられる２つの凸片と、夫々前記凸部と凸片との間に凹設される２つの軸穴とを有するロック凹部と、前記軸穴に挿入される枢転軸を有し、前記ロック凹部に枢着される枢着片と、両側が平行となるように形成されており、一端が前記枢着片に枢設される２つのフランジと、夫々がロック凹部の凸部に対応するように、前記フランジに凹設される嵌合穴と、内面に形成されるフック部材とを有する蓋部とを備え、さらに、前記開閉ボードは、ロック端と、前記ロック端から延出され、分離可能に凸片に当接されるロック片と、フック部材に係合するように、ロック片に穿設されるフック穴とを備えていることを特徴とする請求項１乃至３の何れか１項に記載の球体携行装置、を提供する。
【０００９】
本願の請求項５の考案は、前記底板は、枢着部の両側に平行に凸設される２つのフランジと、前記２つのフランジに互いに対応するように凹設される枢転溝とを備え、
前記開閉ボードは、枢設端と、前記枢設端の両側に凸設されると共に、底板の枢転溝に対して回転可能な枢転ロッドと、を備え、交換可能に底板の枢着部に枢着されていることを特徴とする請求項１乃至４の何れか１項に記載の球体携行装置、を提供する。
【００１０】
本願の請求項６の考案は、前記側板には、２つの包囲ボードを連結するために横方向に設置されている弧状ボードを有していることを特徴とする請求項１又は２に記載の球体携行装置、を提供する。
【００１１】
本願の請求項７の考案は、前記弧状ボードは、伸縮自在の織物からなることを特徴とする請求項８項に記載の球体携行装置、を提供する。
【００１２】
本願の請求項８の考案は、前記肩掛けベルトには、両端が前記ケースに連結される２つのベルトを有していることを特徴とする請求項１又は２に記載の球体携行装置、を提供する。
【考案の効果】
【００１３】
本考案は上記の課題を解決するものであり、硬質のケースと、前記ケースに連結され、肩に掛け易いベルトとを備えることから、簡単に球体を携行することができ、更に、前記ケースの表面にパターンを形成することができるので、見栄えも非常によい。
【図面の簡単な説明】
【００１４】
【図１】本考案に係る球体携行装置の斜視図である。
【図２】本考案に係る球体携行装置の部分分解斜視図である。
【図３】本考案に係る球体携行装置におけるロック部材の使用状態を示す斜視図である
【図４】本考案に係る球体携行装置における織物製弧状ボードの斜視図である。
【図５】本考案に係る球体携行装置の使用状態を示す斜視図である。
【図６】本考案に係る球体携行装置のベルトを肩に掛けた状態を示す斜視図である。
【図７】本考案に係る球体携行装置を背負った状態を示す斜視図である。
【図８】従来の球体バッグを示す斜視図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１は本考案に係る球体携行装置の斜視図であり、図２は本考案に係る球体携行装置の部分分解斜視図であり、図３は本考案に係る球体携行装置におけるロック部材の使用状態を示す斜視図であり、図４は本考案に係る球体携行装置における織物製弧状ボードの斜視図であり、図５は本考案に係る球体携行装置の使用状態を示す斜視図であり、図６は本考案に係る球体携行装置のベルトを肩に掛けた状態を示す斜視図であり、図７は本考案に係る球体携行装置を背負った状態を示す斜視図である。
【００１７】
図１に示すように、本考案に係る球体携行装置は、ケース（Ａ）と、肩掛けベルト（４０）とを有している。
【００１８】
図２に示すように、ケース（Ａ）は、金属やプラスチックなどからなり、例えばバスケットボールや、フットボール、バレーボールなどの球体を収納するためのスペースと、底板（１０）と、天板（２０）と、側板（３０）とを有している。
【００１９】
前記スペースは、ケース（Ａ）の内部に形成され、球状を呈し、前記底板（１０）は、前記球状のスペースを定めると共に、ケース（Ａ）の下部に配置され、８つの辺を有する八角形の球面板である。尚、前記底板（１０）は、円形や多辺形などの形状のプレートであってもよい。
また、前記底板（１０）は、平行に凸設される２つのフランジと前記２つのフランジに互いに対応するように凹設される枢転溝（１１０）とを備える枢着部（１１）と、前記底板（１０）の上面周縁の２箇所に形成されている第一連結凹部（１２）とを備えている。
【００２０】
前記天板（２０）は、前記底板（１０）に対応するように、ケース（Ａ）の上部に設置される八角形の球面板であり、天板（２０）の周辺には、底板（１０）の枢着部（１１）に対応する方向にロック部材（２１）が設けられ、天板（２０）の下面周縁の２箇所に、第二連結凹部（２２）が形成されている。
【００２１】
図３に示すように、ロック部材（２１）は、ロック凹部（２１０）と、２つの径方向側壁と、２つの凸部（２１０１）と、２つの凸片（２１０３）と、２つの軸穴（２１０２）と、枢着片（２１１）と、蓋部（２１２）とを有し、前記天板（２０）の周縁に凹設されている。その内、ロック凹部（２１０）は、底板（１０）の枢着部（１１）と対応し、前記２つの径方向側壁は、前記ロック凹部（２１０）の縁部と平行に形成され、前記２つの凸部（２１０１）は、前記２つの径方向側壁の内側端近傍に夫々凸設され、前記２つの凸片（２１０３）は、互いに突出するように、前記２つの径方向側壁の外側端近傍に夫々設けられ、前記２つの軸穴（２１０２）は夫々、前記２つの凸部（２１０１）と２つの凸片（２１０３）との間に凹設されている。また、前記２つの径方向側壁の内側端には、支持ロッド（２１０４）が設置され、前記天板（２０）の表面における、前記支持ロッド（２１０４）の近傍に凹み部（２１０５）が凹設される内側壁が連結されている。
【００２２】
前記枢着片（２１１）は、第一枢着側と、枢転軸（２１１０）と、第二枢着側とを有し、前記ロック部材（２１）のロック凹部（２１０）に枢着されている。
その内、枢転軸（２１１０）は、前記第一枢着側の両端に設置されると共に、前記ロック凹部（２１０）の軸穴（２１０２）に挿入され、前記第二枢着側は、前記第一枢着側と反対する側に形成されている。
前記蓋部（２１２）は、２つのフランジと、２つの嵌合穴（２１２１）と、フック部材（２１２２）とを備え、その内、２つのフランジは、前記蓋部（２１２）の両側に平行に形成され、一端が前記枢着片（２１１）に枢設され、前記２つの嵌合穴（２１２１）は夫々、前記ロック凹部（２１０）の凸部（２１０１）に対応するように、前記２つのフランジに凹設され、前記フック部材（２１２２）は、前記蓋部（２１２）の内面に形成されている。
【００２３】
前記側板（３０）は、２つの包囲ボード（３１）と、弧状ボード（３２）と、開閉ボード（３３）とを有し、前記底板（１０）と天板（２０）との間に配置されている。また、前記２つの包囲ボード（３１）は、前記スペースを定め、前記弧状ボード（３２）は、前記２つの包囲ボード（３１）を連結するために横に向いて設置され、前記開閉ボード（３３）は、その両端が夫々底板（１０）及び天板（２０）と連結されている。即ち、前記２つの包囲ボード（３１）と、弧状ボード（３２）と、開閉ボード（３３）とは、前記スペースを形成するために組み合わされている。
【００２４】
更に、前記各包囲ボード（３１）は、細長い弧状板であり、一端から延出され、第一連結凹部（１２）に連結される第一連結片（３１０）と、他端から延出され、第二連結凹部（２２）に連結される第二連結片（３１１）と、２つの包囲ボード（３１）における、上端の近傍にそれぞれ穿設される貫通孔（３１２）と、弧状ボード（３２）と連結される縁部に凹設される弧状凹部（３１３）とを備えている
前記弧状ボード（３２）は、長い硬質の円弧状板であり、左右の端部に包囲ボード（３１）の弧状凹部（３１３）に連結される弧状凸片（３２０）が延出されている。
【００２５】
図４に示すように、弧状ボード（３２）は、両端が夫々２つの包囲ボード（３１）と連結される伸縮自在の織物（３２Ｂ）により構成される。
【００２６】
前記開閉ボード（３３）は、ケース（Ａ）を開閉するための細長い円弧状板であり、交換可能且つ枢転可能に前記底板（１０）に枢設され、分離可能に前記天板（２０）のロック部材（２１）にロックされている。
【００２７】
前記開閉ボード（３３）は、枢転ロッド（３３１）と、ロック片（３３２）と、フック穴（３３３）と、図案部（３３０）とを有し、その内、開閉ボード（３３）は、一端が枢設端であり、前記枢転ロッド（３３１）は前記枢設端の両側に凸設されており、普段は底板（１０）の枢転溝（１１０）に沿って嵌め込まれて回転しており、開閉ボード（３３）を交換するときは、反対方向の力を与えられ、枢転溝（１１０）から外される。
一方、前記開閉ボード（３３）の他端はロック端であり、前記ロック片（３３２）は、前記ロック端から延出され、前記フック穴（３３３）は、前記ロック片（３３２）に穿設され、前記図案部（３３０）は、枢設端とロック端との間に形成され、略円形を呈している。尚、本考案に係る球体携行装置の外見をよくするために、前記図案部（３３０）に様々なパターンを形成してもよい。
【００２８】
図６及び図７に示すように、肩掛けベルト（４０）は、ケース（Ａ）に連結され、本考案に係る球体携行装置を肩に掛ける又は背負うための少なくとも１つのベルト部材を有し、前記肩掛けベルト（４０）に１つのベルト部材を設置した場合には、本考案に係る球体携行装置を片方の肩に掛け、球体を携行することができる。また、前記肩掛けベルト（４０）に２つのベルト部材を設置した時には、本考案に係る球体携行装置を背負った形で球体を携行することができる。
更に、前記ベルト部材は、前記包囲ボード（３１）の貫通孔（３１２）に挿入され、包囲ボード（３１）の内面に固定される連結テープ（４１０）と、前記連結テープ（４１０）に連結されるバックル（４１）と、前記バックル（４１）に分離可能に掛止されるフック部材（４２０）と、両端がフック部材（４２０）に連結されるベルト（４２）とを備えている。
【００２９】
図５乃至図７に示すように、本考案に係る球体携行装置を使用する時は、開閉ボート（３３）を開け、球体をケース（Ａ）に収納し、該開閉ボード（３３）を閉め、包囲ボート（３１）、弧状ボート（３２）及び開閉ボード（３３）により球体を保持し、肩掛けベルト（４０）を肩に掛けて球体を携行する。
【００３０】
また、前記開閉ボート（３３）を閉める時は、ロック片（３３２）をロック凹部（２１０）の凸片（２１０３）に当接させ、ロック部材（２１）の蓋部（２１２）を枢転させて蓋部（２１２）のフック部材（２１２２）をロック片（３３２）のフック穴（３３３）に掛止し、蓋部（２１２）を支持ロッド（２１０４）に当接するように押圧し、蓋部（２１２）の嵌合穴（２１２１）とロック凹部（２１０）の凸部（２１０１）とを互いに嵌合させることにより、開閉ボート（３３）を天板（２０）にロック固定する。
【００３１】
一方、球体を取り出す時は、前記天板（２０）の凹み部（２１０５）から指で蓋部（２１２）を上方に押し開け、前記蓋部（２１２）の嵌合穴（２１２１）をロック部材（２１０）の凸部（２１０１）から離脱させて蓋部（２１２）を上方に向かって枢転させ、開閉ボード（３３）のロック片（３３２）を解放することにより、開閉ボード（３３）を開けて球体を取り出す。
【産業上の利用可能性】
【００３２】
本考案は、表面にパターンが形成される硬質のケースと、前記ケースに連結され、容易に肩に掛けることができるベルトとを備えることにより、球体を携行し易い球体携行装置を提供できる。
【符号の説明】
【００３３】
Ａ  ケース
１０  底板
１１  枢着部
１１０  枢転溝
１２  第一連結凹部
２０  天板
２１  ロック部材
２１０  ロック凹部
２１０１  凸部
２１０２  軸穴
２１０３  凸片
２１０４  支持ロッド
２１０５  凹み部
２１１  枢着片
２１１０  枢転軸
２１２  蓋部
２１２１  嵌合穴
２１２２  フック部材
２２  第二連結凹部
３０  側板
３１  包囲ボード
３１０  第一連結片
３１１  第二連結片
３１２  貫通孔
３１３  弧状凹部
３２  弧状ボード
３２B  織物
３２０  弧状凸片
３３  開閉ボード
３３０  図案部
３３１  枢転ロッド
３３２  ロック片
３３３  フック穴
４０  肩掛けベルト
４１  バックル
４１０  連結テープ
４２  ベルト
４２０  フック部材
【図１】
0003155209.tif 000003
【図２】
0003155209.tif 000004
【図３】
0003155209.tif 000005
【図４】
0003155209.tif 000006
【図５】
0003155209.tif 000007
【図６】
0003155209.tif 000008
【図７】
0003155209.tif 000009
【図８】
0003155209.tif 000010
【手続補正書】
【提出日】平成21年9月9日(2009.9.9)
【手続補正１】
【補正対象書類名】実用新案登録請求の範囲
【補正対象項目名】請求項４
【補正方法】変更
【補正の内容】
【請求項４】
前記ロック部材は、
前記底板の枢着部と対応する箇所に位置しており、前記天板の周縁に凹設され、平行に形成されるように、夫々内側端と外側端とを備える２つの径方向側壁と、前記径方向側壁の内側端近傍に夫々凸設される２つの凸部と、互いに突出するように、２つの径方向側壁の外側端近傍に夫々設けられる２つの凸片と、夫々前記凸部と凸片との間に凹設される２つの軸穴とを有するロック凹部と、
前記軸穴に挿入される枢転軸を有し、前記ロック凹部に枢着される枢着片と、
両側が平行となるように形成されており、一端が前記枢着片に枢設される２つのフランジと、夫々がロック凹部の凸部に対応するように、前記フランジに凹設される嵌合穴と、内面に形成されるフック部材とを有する蓋部とを備え、
さらに、前記開閉ボードは、ロック端と、前記ロック端から延出され、分離可能に凸片に当接されるロック片と、フック部材に係合するように、ロック片に穿設されるフック穴とを備えていることを特徴とする請求項１乃至３の何れか１項に記載の球体携行装置。
【手続補正２】
【補正対象書類名】実用新案登録請求の範囲
【補正対象項目名】請求項７
【補正方法】変更
【補正の内容】
【請求項７】
前記弧状ボードは、伸縮自在の織物からなることを特徴とする請求項６に記載の球体携行装置。
【手続補正３】
【補正対象書類名】明細書
【補正対象項目名】０００８
【補正方法】変更
【補正の内容】
【０００８】
本願の請求項４の考案は、前記ロック部材は、前記底板の枢着部と対応する箇所に位置しており、前記天板の周縁に凹設され、平行に形成されるように、夫々内側端と外側端とを備える２つの径方向側壁と、前記径方向側壁の内側端近傍に夫々凸設される２つの凸部と、互いに突出するように、２つの径方向側壁の外側端近傍に夫々設けられる２つの凸片と、夫々前記凸部と凸片との間に凹設される２つの軸穴とを有するロック凹部と、前記軸穴に挿入される枢転軸を有し、前記ロック凹部に枢着される枢着片と、両側が平行となるように形成されており、一端が前記枢着片に枢設される２つのフランジと、夫々がロック凹部の凸部に対応するように、前記フランジに凹設される嵌合穴と、内面に形成されるフック部材とを有する蓋部とを備え、さらに、前記開閉ボードは、ロック端と、前記ロック端から延出され、分離可能に凸片に当接されるロック片と、フック部材に係合するように、ロック片に穿設されるフック穴とを備えていることを特徴とする請求項１乃至３の何れか１項に記載の球体携行装置、を提供する。
【手続補正４】
【補正対象書類名】明細書
【補正対象項目名】００１１
【補正方法】変更
【補正の内容】
【００１１】
本願の請求項７の考案は、前記弧状ボードは、伸縮自在の織物からなることを特徴とする請求項６に記載の球体携行装置、を提供する。